(57)【特許請求の範囲】
【請求項１】
入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち所定時間後に上書きされる映像の再生動作を行うように前記記録手段および前記再生手段を制御可能であることを特徴とする映像記録再生装置。
【請求項２】
前記制御手段は前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする請求項１記載の映像記録再生装置。
【請求項３】
前記制御手段は前記記録動作と前記再生動作とが並行して行われているときに、前記記録媒体における前記記録動作によって所定時間後に上書きされる映像が存在するか否かを検出し、該所定時間後に上書きされる映像が存在しないことを検出すると、前記再生動作を停止するように前記再生手段を制御することを特徴とする請求項１記載の映像記録再生装置。
【請求項４】
前記再生動作により再生された映像の消去を禁止するか否かを指示する指示手段を設け、前記記録動作と前記再生動作とが並行して行われているときに前記指示手段から前記再生動作により再生された映像の消去を禁止する指示が出されると、前記制御手段は前記記録動作を停止するように前記記録手段を制御することを特徴とする請求項１記載の映像記録再生装置。
【請求項５】
前記入力された映像は、撮像手段から入力された映像であることを特徴とする請求項１ないし４のいずれか１つに記載の映像記録再生装置。
【請求項６】
前記入力された映像の記録時に該映像を表示するとともに前記記録媒体に記録されている映像の再生時に該映像を表示するための表示手段を備え、
前記記録動作と前記再生動作とが並行して行われるときに前記入力された映像と前記記録媒体から再生された映像とを合成して前記表示手段に表示するように設定可能であることを特徴とする請求項１記載の映像記録再生装置。
【請求項７】
前記入力された映像と前記記録媒体から再生された映像とを合成して前記表示手段に表示する際に、前記表示手段の画面における前記入力された映像と前記記録媒体から再生された映像とのそれぞれ表示範囲を任意に設定可能にしたことを特徴とする請求項６記載の映像記録再生装置。
【請求項８】
入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置の映像記録再生方法であって、前記制御手段により、前記入力された映像の前記記録媒体への記録動作と並行して前記記録媒体に記録されている映像のうち所定時間後に上書きされる映像の再生動作を行うように前記記録手段および前記再生手段を制御することを特徴とする映像記録再生方法。
【請求項９】
前記制御手段により、前記記録動作と前記再生動作とが並行して行われているときに、前記記録媒体における前記記録動作による現在の記録位置から所定時間後に到達する記録可能位置が存在するか否かを検出し、該所定時間後に到達する記録可能位置が存在しないことを検出すると、前記再生動作を停止するように前記再生手段を制御することを特徴とする請求項８記載の映像記録再生方法。
【請求項１０】
前記制御手段により、前記記録動作と前記再生動作とが並行して行われているときに、前記記録媒体における前記記録動作によって所定時間後に上書きされる映像が存在するか否かを検出し、該所定時間後に上書きされる映像が存在しないことを検出すると、前記再生動作を停止するように前記再生手段を制御することを特徴とする請求項８記載の映像記録再生方法。
【請求項１１】
前記映像記録再生装置は、前記再生動作により再生された映像の消去を禁止するか否かを指示する指示手段を備え、
前記記録動作と前記再生動作とが並行して行われているときに、前記指示手段から前記再生動作により再生された映像の消去を禁止する指示が出されると、前記制御手段により、前記記録動作を停止するように前記記録手段を制御することを特徴とする請求項８記載の映像記録再生方法。
【請求項１２】
前記映像記録再生装置は、前記入力された映像の記録時に該映像を表示するとともに前記記録媒体に記録されている映像の再生時に該映像を表示するための表示手段を備え、
前記記録動作と前記再生動作とが並行して行われるときに前記入力された映像と前記記録媒体から再生された映像とを合成して前記表示手段に表示することを特徴とする請求項８記載の映像記録再生方法。
【請求項１３】
前記入力された映像と前記記録媒体から再生された映像とを合成して前記表示手段に表示する際に、前記表示手段の画面における前記入力された映像と前記記録媒体から再生された映像とのそれぞれ表示範囲を任意に設定することを特徴とする請求項１２記載の映像記録再生方法。
【発明の詳細な説明】
【０００１】
【発明の属する技術分野】
本発明は、入力された映像を記録媒体に記録し、記録媒体に記録されている映像を再生する映像記録再生装置およびその方法に関する。
【０００２】
【従来の技術】
一般に、動画を記録媒体に記録する装置としては、ビデオテープレコーダ（ＶＴＲ）が用いられ、このＶＴＲでは、回転ドラム上に巻き付けられた記録媒体である磁気テープ上に、該回転ドラムに設けられた回転ヘッドによりヘリカルスキャン記録方式でトラックを形成して映像信号と音声信号とを記録または再生する。
【０００３】
このＶＴＲの中で民生用ＶＴＲにおける記録方式は、アナログ記録方式からデジタル記録方式へ移行しているが、これらの記録方式は、記録媒体として磁気テープを用いている点では変わらない。このデジタル記録方式を用いている場合、動画をデジタル化することにより記録データ量が膨大な量になるが、この膨大な記録データ量に対する容量を有する磁気テープを確保することは容易である。
【０００４】
また、近年、パーソナルコンピュータを代表とする情報処理装置およびその周辺機器が広く普及するとともに、その処理される情報が多様化、肥大化しつつある。この情報の多様化、肥大化に伴い、情報を記録するための記録媒体であるハードディスク、磁気ディスク、光ディスク、光磁気ディスクなどにおいては、その大容量化が急速に進められ、このハードディスクなどの記録媒体の大容量化により、動画を含む映像をデジタル化してこの記録媒体に記録再生可能な映像記録再生装置が出現している。
【０００５】
【発明が解決しようとする課題】
しかし、上述したＶＴＲで、映像が記録済みである磁気テープに新たな映像を記録するときには、新たな映像が記録済みの映像に上書きされるから、新たな映像の記録前に磁気テープに記録済みの映像を一度再生して該磁気テープの記録済みの映像が消去してよいものか否かを確認する必要があり、この確認作業に手間が掛かる。
【０００６】
同様に、ハードディスクなどの記録媒体を用いた映像記録再生装置においても、映像が記録済みである記録媒体に新たな映像を記録するときには、新たな映像が記録済みの映像に上書きされるから、新たな映像の記録前に記録済みの映像を再生して該映像が消去してよいものか否かを確認する必要がある。
【０００７】
このように、従来の映像記録再生装置では、記録媒体に記録済みの映像に上書きして新たな映像を記録するときには、記録媒体に既に記録されている映像が消去してよいものか否かを確認するための確認作業を行う必要があり、手間が掛かる。
【０００８】
本発明の目的は、記録媒体に記録済みの映像に上書きして新たな映像を記録するときに、記録媒体に既に記録されている映像が消去してよいものか否かを確認するための確認作業を手間を掛けずに簡単に行うことができる映像記録再生装置および映像記録再生方法を提供することにある。
【０００９】
【課題を解決するための手段】
本発明は、上記目的を達成するため、入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置において、前記制御手段は前記入力された映像の前記記録媒体への記録動作と並行して前記記録媒体に記録されている映像のうち所定時間後に上書きされる映像の再生動作を行うように前記記録手段および前記再生手段を制御可能であることを特徴とする映像記録再生装置を提供する。
【００１０】
本発明は、上記目的を達成するため、入力された映像を記録媒体に記録するための記録手段と、前記記録媒体に記録されている映像を再生するための再生手段と、前記記録手段における記録動作と前記再生手段における再生動作とを制御する制御手段とを備えた映像記録再生装置の映像記録再生方法であって、前記制御手段により、前記入力された映像の前記記録媒体への記録動作と並行して前記記録媒体に記録されている映像のうち所定時間後に上書きされる映像の再生動作を行うように前記記録手段および前記再生手段を制御することを特徴とする映像記録再生方法を提供する。
【００２４】
【発明の実施の形態】
以下に、本発明の実施の形態について図を参照しながら説明する。
【００２５】
（実施の第１形態）
図１は本発明の映像記録再生装置の実施の第１形態の外形を模式的に示す図、図２は図１の映像記録再生装置の構成を示すブロック図である。
【００２６】
本実施の形態では、映像記録再生装置として、記録媒体に固体メモリを用いたビデオカメラを例に説明する。このビデオカメラ１０１は、図１に示すように、動画を含む映像を撮像するカメラ部１０２と一体的に構成されている記録再生装置からなり、該記録再生装置は、カメラ部１０２で撮像された映像を固体メモリに記録するための記録手段と、固体メモリに記録されている映像を再生するための再生手段と、カメラ部１０２で撮像された映像の記録時に該映像を表示するとともに固体メモリに記録されている映像の再生時に該映像を表示するための表示手段とを備える。
【００２７】
このビデオカメラ１０１では、カメラ部１０１で撮像された映像の固体メモリへの記録動作と並行して該固体メモリに記録されている映像の再生を行うように記録手段および再生手段を制御し、記録動作と再生動作とが並行して行われるときにカメラ部１０２で撮像された映像と固体メモリから再生された映像とを同時に表示手段にそれぞれ表示可能な表示制御を行う。具体的には、この記録動作と並行して、固体メモリにおける現在の記録位置から所定時間後に到達する記録位置に対する再生を行うとともに、カメラ部１０２で撮像された映像と固体メモリから再生された映像とを合成して表示手段にそれぞれ表示する。例えば、現在カメラ部１０１で第１の映像（前方の山を含む風景）を撮像している場合、この第１の映像の固体メモリへの記録と並行して固体メモリにおける現在の記録位置から所定時間後に到達する記録位置に対する再生が行われ、カメラ部１０２で撮像された第１の映像１０４と固体メモリから再生された第２の映像１０５（海を含む風景）とが合成されて表示手段の画面１０３にそれぞれ表示される。
【００２８】
次に、ビデオカメラ１０１の構成について図２を参照しながら詳細に説明する。
【００２９】
ビデオカメラ１０１は、図２に示すように、上述のカメラ部１０２を構成する撮像部１を有する。撮像部１は光学系を介して捕らえた光学像をＣＣＤ（図示せず）で電気信号に変換し、この電気信号を所定の処理によりビデオ信号に変換して出力する。撮像部１から出力されたビデオ信号はＡ／Ｄコンバータ２によりデジタル映像信号に変換され、このデジタル映像信号は符号化および記録処理に適した映像データとなるようにビデオ信号処理回路３で処理される。ビデオ信号処理回路３からの映像データは、符号化器４および映像合成処理回路１８に入力される。
【００３０】
符号化器４は、入力された映像データを所定の方法で符号化圧縮し、符号化圧縮された映像データはＩＤ発生回路５およびデータ合成回路６に入力される。ＩＤ発生回路５は入力された映像データに対応するＩＤデータをアドレス情報生成回路７からのデータに基づき一定期間毎に生成し、この生成されたＩＤデータはデータ合成回路６に入力される。このＩＤ発生回路５によるＩＤデータの生成動作は、後述するシステムコントローラ８により制御される。なお、ＩＤデータの内容の詳細については後述する。
【００３１】
アドレス情報生成回路７は、メモリ制御部９からシステムコントローラ８を介して固体メモリ１０内のデータの格納状況などを示す情報、システムコントローラ８からタイムコードなどの情報を受け取り、これらの情報を含むデータをＩＤ発生回路５に転送する。
【００３２】
データ合成回路６は、ＩＤ発生回路５からのＩＤデータと符合化器４からの映像データとを合成して固体メモリ１０の入力ポートに転送し、この入力ポートに転送されたＩＤデータを含む映像データは固体メモリ１０に書き込まれる。
【００３３】
固体メモリ１０への映像データの書込みおよび既に書き込まれている映像データの読出しはメモリ制御部９により制御される。メモリ制御部９は、固体メモリ１０に対する書込み、読出し制御をシステムコントローラ８からの命令に基づき行う。例えば、ユーザから操作部１１を介して記録指示が出されると、システムコントローラ８は、ユーザからの記録指示に基づき固体メモリ１０への映像データの書込みを指示する命令をメモリ制御部９に出力する。また、ユーザから再生指示が出されると、この再生指示に基づき固体メモリ１０からの映像データの読出しを指示する命令がメモリ制御部９に出力される。
【００３４】
固体メモリ１０から読み出されたＩＤデータを含む映像データは該固体メモリ１０の出力ポートを介してシリアルデータ形式でデータ分配回路１２に入力され、データ分配回路１２は入力されたＩＤデータと映像データとを分離する。このＩＤデータは検索情報再生回路１３に、映像データはビデオデータ復号回路１５にそれぞれ与えられる。
【００３５】
検索情報再生回路１３は、必要に応じてＩＤデータ毎に対応する固体メモリ１０内の情報例えば時間情報、記録時の情報を検出して読み出し、この読み出された情報は表示情報生成回路１４に入力される。表示情報生成回路１４は、検索情報再生回路１３で読み出された情報をモニタ２１の表示用デジタル情報信号に変換するとともに、後述する再生映像の表示ができないときにおける警告情報信号の生成を行う。表示情報生成回路１４で変換された表示用デジタル情報信号または生成された警告情報信号は加算器１６に出力される。ビデオデータ復号回路１５は映像データを復号してデジタル映像信号を生成し、該デジタル映像信号を加算器１６に出力する。
【００３６】
加算器１６は、表示情報生成回路１４からのデジタル情報信号とビデオデータ復号回路１５からのデジタル映像信号とを合成し、該デジタル情報信号が合成されたデジタル映像信号をスイッチＳＷ１に出力する。また、再生映像の表示ができないときには、加算器１６には表示情報生成回路１４で生成された警告情報信号のみが入力され、この警告情報信号がスイッチＳＷ１に出力される。なお、本実施の形態では、検索情報再生回路１３で、必要に応じてＩＤデータ毎に対応する固体メモリ１０内の情報を読み出してビデオデータ復号回路１５からのデジタル映像信号と合成するように構成しているが、ＩＤデータ毎に対応する固体メモリ１０内の情報とビデオデータ復号回路１５からのデジタル映像信号とを合成した後にこの固体メモリ１０内の情報を必要に応じて表示可能するような構成を用いることもできる。
【００３７】
スイッチＳＷ１は、システムコントローラ８からの切換制御命令に応じてデジタル情報信号が合成されたデジタル映像信号を間引き処理回路１７およびＤ／Ａコンバータ２０のいずれか一方に出力するようにまたは該デジタル映像信号の出力を禁止するように切換動作を行う。
【００３８】
間引き処理回路１７は、システムコントローラ８から指示される間引き率に応じてデジタル情報信号が合成されたデジタル映像信号に間引き処理を施し、該間引き処理を施したデジタル映像信号を映像合成処理回路１８に出力する。映像合成処理回路１８は、ビデオ信号処理回路３からのデジタル映像信号と映像合成処理回路１８からのデジタル映像信号とを合成してアナログ映像信号に変換し、該アナログ映像信号はスイッチＳＷ２の一方の入力端子に入力される。この映像合成処理回路１８による動作はシステムコントローラ８により制御され、映像合成処理回路１８の詳細な構成および処理内容については後述する。
【００３９】
Ｄ／Ａコンバータ２０は、スイッチＳＷ１からのデジタル情報信号が合成されたデジタル映像信号１９をアナログ映像信号に変換し、このアナログ映像信号はスイッチＳＷ２の他方の入力端子に入力される。
【００４０】
スイッチＳＷ２は、システムコントローラ８からの切換制御命令に応じて入力端子のいずれかを選択し、該選択された入力端子に入力されたアナログ映像信号をモニタ２１に出力する。モニタ２１は、スイッチＳＷ２からのアナログ映像信号が示す映像を表示するビューファインダなどの表示装置からなる。
【００４１】
システムコントローラ８は、上述の各ブロックを含む装置全体を制御するシステム制御を行うとともに、個別モードに対する各ブロックの制御を行う。この個別モードには、記録モード、再生モード、記録およびそれと並行して再生を行う記録再生並行モードが含まれ、各モードの動作内容については後述する。
【００４２】
システムコントローラ８には、上述のモード設定指示などが操作部１１から入力される。操作部１１は、該モード設定指示に加えて撮像条件を含む記録条件、再生条件などの条件設定などを行う各種設定キーを有し、これらのキー操作に応じて対応する信号を発生する。
【００４３】
なお、上述の固体メモリ１０には、映像データとともにステレオ入力した音声データが格納されるが、本実施の形態では、この音声データの記録、再生を行うためのブロックは省略している。
【００４４】
次に、固体メモリ１０に格納されているデータの構成例について図３を参照しながら説明する。図３は図２のビデオカメラの固体メモリに格納されているデータの構成例を示す図である。
【００４５】
固体メモリ１０には、図３に示すように、各ＩＤデータ（ＩＤ−Ｄａｔａ）毎に音声データ（Ａｕｄｉｏ−Ｄａｔａ）と映像データ（Ｖｉｄｅｏ−Ｄａｔａ）とが１つの組とするデータブロック形式で格納されている。
【００４６】
ＩＤデータは、９つの基本情報を有する固定長データからなり、これら基本情報としては、トリガＯＮ／ＯＦＦを示すＩＤ、ＳＭＰＴＥに準拠したタイムコード、記録時間とのトレードオフで選択された画質モード、格納される映像データのデータ長、映像データの先頭番地、記録時間とのトレードオフで選択された音質モード、格納される音声データのデータ長、音声データの先頭番地、一度記録したデータを消去する際に物理的なデリート処理前の状態に復帰可能な論理消去状態を得るための再生禁止を設定する削除済フラグがある。このタイムコードには、２種類のコードがあり、その一つは固体メモリ１０または映像プログラムの冒頭からの経過時間、カメラ撮影の累積時間などを示すコードであり、他の一つは記録または撮影時の年月日、時分秒、フレームの時刻などを示すコードである。
【００４７】
音声データは、Ｌ，Ｒの各チャンネルの初期化情報（リセットデータ）と圧縮処理を施した可変長のデータとから構成され、また、映像データは、例えばフレーム内符号化などによる初期化画面（映像リセットデータ）と、各種圧縮方式により可変長符号化された圧縮データとから構成されている。
【００４８】
次に、映像合成処理回路１８の構成を図６を参照しながら詳細に説明する。図６は図２のビデオカメラに設けられている映像合成処理回路の構成を示すブロック図である。
【００４９】
映像合成処理回路１８は、ビデオ信号処理回路３からのデジタル映像信号を取り込むビデオ入力端子ＩＮ１と、間引き処理回路１７からのデジタル映像信号を取り込むビデオ入力端子ＩＮ２とを有し、ビデオ入力端子ＩＮ１に取り込まれたデジタル映像信号は画像メモリ３０に、ビデオ入力端子ＩＮ２に取り込まれたデジタル映像信号は画像メモリ３１に発信回路３２からのクロック信号に基づきそれぞれ書き込まれる。また、画像メモリ３０，３１に格納されたデジタル映像信号は発信回路３２からのクロック信号に基づき読み出され、この読み出された各デジタル映像信号はスイッチＳＷ３に入力される。
【００５０】
スイッチＳＷ３は入力された各デジタル映像信号を交互に出力するように切換動作を行う。この切換動作は、切換制御回路３３により制御される。具体的には、切換制御回路３３は、発信回路３２からのクロック信号をカウントし、システムコントローラ８からの制御情報に基づきスイッチＳＷ３に入力された各デジタル映像信号の一方と他方とが所定の水平期間および垂直期間で切り換えられて各デジタル映像信号が合成された１つの映像出力をなすようにスイッチＳＷ３の切換動作を制御する。なお、記録モードにおいては、ビデオ信号処理回路３からのデジタル映像信号がスイッチＳＷ３に取り込まれ、スイッチＳＷ３の切換動作はビデオ信号処理回路３からのデジタル映像信号を出力するように制御される。
【００５１】
スイッチＳＷ３から出力されたデジタル映像信号はＤ／Ａコンバータ１９によりアナログ映像信号に変換される。Ｄ／Ａコンバータ１９の動作は発信回路３２からのクロック信号に同期して行われる。Ｄ／Ａコンバータ１９から出力されたアナログ映像信号は加算器３４に入力され、加算器３４はＤ／Ａコンバータ１９からのアナログ映像信号に同期発生回路３５からの同期信号を加算してビデオ出力端子ＯＵＴから出力する。同期発生回路３５は発信回路３２からのクロック信号に基づき同期信号を発生する。
【００５２】
次に、本ビデオカメラ１０１における各モードについて説明する。
【００５３】
まず、記録モードについて説明する。この記録モードを実行する場合、ユーザから操作部１１を介して記録モード設定の指示が出され、この記録モード設定指示を受けたシステムコントローラ８は記録モードを実行可能なように対応するブロックを制御する。例えば、システムコントローラ８は、スイッチＳＷ１からの出力を禁止するようにスイッチＳＷ１の切換動作を制御するとともに、映像合成処理回路１８からのアナログ映像信号を取り込むようにスイッチＳＷ２の切換動作を制御する。
【００５４】
撮像部１で撮像した被写体のビデオ信号は、Ａ／Ｄコンバータ２によりデジタル映像信号に変換された後に符号化および記録処理に適した映像データとなるようにビデオ信号処理回路３で処理される。ビデオ信号処理回路３からの映像データは符号化器４で符号化圧縮された後にデータ合成回路６に入力され、ＩＤ発生回路５で生成されたＩＤデータと合成されて固体メモリ１０の入力ポートに転送される。この入力ポートに転送されたＩＤデータを含む映像データは固体メモリ１０に書き込まれる。また、ビデオ信号処理回路３からの映像データは映像合成処理回路１８およびスイッチＳＷ２を介してモニタ２１に入力され、モニタ２１には、撮像部１で撮像した被写体の映像が映し出される。
【００５５】
再生モードを実行する場合、ユーザから操作部１１を介して再生モード設定の指示が出され、この再生モード設定指示を受けたシステムコントローラ８は再生モードを実行可能なように対応するブロックを制御する。例えば、システムコントローラ８は、加算器１６から入力されたデジタル映像信号をＤ／Ａコンバータ２０に出力するようにＳＷ１の切換動作を制御するとともに、Ｄ／Ａコンバータ２０からのアナログ映像信号を取り込むようにスイッチＳＷ２の切換動作を制御する。
【００５６】
次いで、システムコントローラ８は、メモリ制御部９に対し固体メモリ１０に格納されている映像データの読出しを命令し、メモリ制御部９は固体メモリ１０に格納されている映像データの読出し制御を行う。固体メモリ１０から読み出された映像データはデータ分配回路１２でＩＤデータと映像データとに分配され、ＩＤデータに含まれている情報は必要に応じて検索情報再生回路１３で固体メモリ１０から読み出されて表示情報生成回路１４でモニタ２１の表示用デジタル情報信号に変換された後に加算器１６に出力され、映像データはビデオデータ復号回路１５の復号処理によりデジタル映像信号に変換されて加算器１６に出力される。加算器１６では、検索情報再生回路１３からのデジタル情報信号とビデオデータ復号回路１５からのデジタル映像信号とを合成し、該デジタル情報信号が合成されたデジタル映像信号はスイッチＳＷ１、Ｄ／Ａコンバータ２０およびＳＷ２を介してモニタ２１に入力され、モニタ２１には、固体メモリ１０に格納されている映像データの映像が映し出される。
【００５７】
次に、記録再生並行モードについて図４、図５および図７を参照しながら説明する。図４は図２のビデオカメラの記録再生並行モードにおける固体メモリへの記録位置と再生位置との関係を示す図、図５は図２のビデオカメラの記録再生並行モードにおけるモニタの画面表示例を示す図、図７は図２のビデオカメラにおける記録再生並行モードの動作手順を示すフローチャートである。
【００５８】
記録再生並行モードは必要に応じて設定されるモードであり、該モードにおいては記録動作と並行して再生動作が行われ、この再生動作は、記録動作による固体メモリ１０における現在の記録位置から所定時間後に到達する記録位置に対する再生を行う先行再生動作からなる。具体的には、記録再生並行モードでは、図４に示すように、撮像部１で撮像された映像を示す映像データを固体メモリ１０に記録するとともに、該記録と並行して現在の記録位置から所定時間後に到達する記録位置における映像データすなわち撮像部１で撮像された映像を示す映像データにより上書きされる映像データを先行映像として再生し、この再生された映像と撮像部１で撮像された映像とを合成してモニタ２１に表示する。この現在の記録位置から所定時間後に到達する記録位置すなわち再生位置はメモリ制御部９で各データブロックのＩＤデータとアドレス情報とに基づき認識され、この認識された再生位置に対する読出し制御が行われる。
【００５９】
具体的には、システムコントローラ８は、出力を間引き処理回路１７側に切り換えるようにスイッチＳＷ１の切換動作を制御するとともに、映像合成処理回路１８からのアナログ映像信号を取り込むようにスイッチＳＷ２の切換動作を制御する。また、システムコントローラ８は、間引き処理回路１７に間引き率を指示するとともに、映像合成処理回路１８の切換制御回路３３にＳＷ３の切換動作を制御するための制御情報を供給する。さらに、システムコントローラ８は、撮像部１で撮像された映像を示す映像データを固体メモリ１０に書き込むようにするとともに、該書込みと並行して現在の書込み位置から所定時間後に到達する書込み位置における映像データすなわち撮像部１で撮像された映像を示す映像データにより上書きされる映像データを読み出すようにメモリ制御部９に指示する。
【００６０】
また、記録再生並行モードが設定されているときに、システムコントローラ８は、固体メモリ１０における現在の記録位置から所定時間後に到達する記録可能位置が存在するか否かをメモリ制御部９からの情報に基づき判定し、該所定時間後に到達する記録可能位置が存在しないと、再生動作を停止する制御を行うとともに所定時間後に到達する記録可能位置が存在しない旨を示す警告情報を表示情報生成回路１４で生成するように制御するとともに、この生成された情報をモニタ２１に表示するように制御し、所定時間経過後には記録動作を停止するように制御する。この再生動作の停止制御に伴い検索情報再生回路１３からのデジタル情報信号の出力はないから、加算器１６には表示情報生成回路１４で生成された警告情報のみが入力されることになる。また、システムコントローラ８は現在の記録位置から所定時間後に到達する記録位置に記録済みの映像が存在するか否かを判定し、該所定時間後に到達する記録位置に記録済みの映像が存在しないと、再生動作を停止するように制御する。この再生動作の停止によりスイッチＳＷ１からの出力は行われず、ビデオ信号処理回路３からの映像のみがモニタ２１に映し出されることになる。
【００６１】
さらに、記録再生並行モード実行中に再生動作により再生された映像の消去を禁止する指示が出されると、記録動作を停止するように制御が行われる。
【００６２】
この記録再生並行モードにおいては、撮像部１で撮像した被写体のビデオ信号は、Ａ／Ｄコンバータ２、ビデオ信号処理回路３で処理された後に、ＩＤ発生回路５で生成されたＩＤデータと合成されて固体メモリ１０に書込まれる。
【００６３】
固体メモリ１０からは現在の書込み位置から所定時間後に到達する書込み位置における映像データが読み出され、データ分配回路１２でＩＤデータと映像データとに分配された後に、ＩＤデータに含まれている情報は検索情報再生回路１３で読み出されて表示情報生成回路１４でモニタ２１の表示用デジタル情報信号に変換された後に加算器１６に出力され、映像データはビデオデータ復号回路１５の復号処理によりデジタル映像信号に変換されて加算器１６に出力される。加算器１６で表示情報生成回路１４からのデジタル情報信号（検索情報再生回路１３で読み出された情報）とビデオデータ復号回路１５からのデジタル映像信号とが合成されたデジタル映像信号はスイッチＳＷ１を介して間引き処理回路１７に入力され、該デジタル映像信号にシステムコントローラ８から指示された間引き率による間引き処理が施される。間引き処理されたデジタル映像信号は映像合成処理回路１８に入力され、映像合成処理回路１８は間引き処理されたデジタル映像信号とビデオ信号処理回路３からのデジタル映像信号と合成してスイッチＳＷ２を介してモニタ２１に出力する。モニタ２１には、撮像部１で現在撮像している映像に固体メモリ１０における所定時間後の記録位置から再生した映像を合成した映像が映し出される。
【００６４】
このシステムコントローラ８から指定する間引き率は、ユーザによって操作部１１を介して所定の範囲内の率に設定することが可能である。例えば、図５（ａ）に示すように、撮像部１で現在撮像している映像を映像１とし、固体メモリ１０における所定時間後の記録位置から再生した映像を映像２とすると、映像２を映像１の右下隅に小さくモニタ２１に映し出すように、また、図５（ｂ）に示すように、映像２を映像１にほぼ重ねるようにモニタ２１に映し出すように設定することもできる。なお、本実施の形態では、固体メモリ１０から先行して再生した映像を間引くように処理しているが、これに代えて、図５（ｂ）に示すように、撮像部１で撮像した映像１を間引くための処理回路を付加し、この映像１を間引いて映像２の右下隅に小さくモニタ２１に映し出すように構成することも可能であり、また、映像１および映像２を間引くための処理回路を付加して映像１，２のそれぞれを間引いて合成するように構成することも可能である。
【００６５】
次に、システムコントローラ８による記録再生並行モードの制御手順について図７を参照しながら説明する。
【００６６】
記録モードが設定されているとき、図７に示すように、ステップＳ１において、現在撮像している映像の映像データを固体メモリ１０に書き込むとともに、該映像をモニタ２１に表示するように制御を行う。
【００６７】
次いで、ステップＳ２において、記録再生並行モードを実行するための先行映像再生指示を受けると、続くステップＳ３で、記録と並行して現在の書込み位置から所定時間後に到達する書込み位置における映像データすなわち撮像部１で撮像された映像を示す映像データにより上書きされる映像データを読み出すようにメモリ制御部９に指示する。この指示により固体メモリ１０における現在から所定時間後に到達する書込み位置における映像データの読出しが開始されることになる。
【００６８】
続くステップＳ４では、先行映像の再生が可能か否かの判定を行う。具体的には、固体メモリ１０における現在の記録位置から所定時間後に到達する記録位置に再生可能な映像データが存在するか否かをメモリ制御部９からの情報に基づき判定し、再生可能な映像データが存在すると、ステップＳ５に進み、上述したように加算器１６からのデジタル映像信号に対する間引き率を間引き処理回路１７に指示する。このシステムコントローラ８から指示された間引き率によって間引き処理が加算器１６からのデジタル映像信号に施される。
【００６９】
次いで、ステップＳ６に進み、映像合成処理回路１８による間引き処理されたデジタル映像信号とビデオ信号処理回路３からのデジタル映像信号との合成動作を制御し、続くステップＳ７では、スイッチＳＷ２を介して出力された、合成されたデジタル映像信号をモニタ２１で表示するように制御する。この制御によりモニタ２１には、撮像部１で現在撮像している映像に固体メモリ１０における所定時間後の記録位置から再生した映像を合成した映像が映し出される。
【００７０】
これに対し、ステップＳ４において、先行映像の再生が不可能であると判定されると、ステップＳ８に進み、先行映像再生不可能である要因の１つである固体メモリ１０の記録可能容量が無いか否かを判定する。具体的には、所定時間後に到達する記録位置においてその記録可能残量があるか否かを判定する。その記録可能残量がないと、所定時間後には記録可能残量が無くなると判断してステップＳ９に進み、記録可能残量が無しを示す情報（例えば「残量ありません」）を表示情報生成回路１４で生成するように制御する。次いで、ステップＳ６およびステップＳ７に順に進み、この生成された情報を撮像部１で現在撮像している映像に合成してモニタ２１に表示するように制御する。この制御によりモニタ２１には、情報例えば「残量ありません」と撮像部１で現在撮像している映像とが合成されて表示される。なお、所定時間後には、記録可能残量が無くなるから、記録動作が停止される。
【００７１】
ステップＳ８において、記録可能残量があると判定されると、所定時間後に到達する記録位置に記録済みの映像が存在しないと判断してステップＳ１０に進み、再生動作を停止するように制御する。この制御では、固体メモリ１０からの映像データの読出しが停止されるとともに、スイッチＳＷ１からの出力を禁止するようにスイッチＳＷ１の切換動作が制御されて記録モードへの移行が行われる。
【００７２】
なお、本フローチャートでは表していないが、記録再生並行モード実行中に再生動作により再生された映像の消去を禁止する指示がユーザから操作部１１を介して出されると、記録動作を停止するように設定されている。
【００７３】
このように、本実施の形態では、撮像部１で撮像された映像を示す映像データを固体メモリ１０に記録するとともに、該記録と並行して現在の記録位置から所定時間後に到達する記録位置における映像データすなわち撮像部１で撮像された映像を示す映像データにより上書きされる映像データを先行映像として再生し、この再生された映像と撮像部１で撮像された映像とを合成してモニタ２１に表示するから、新たな映像を記録しながら固体メモリ１０の記録済みの映像が消去してよいものか否かを確認することができ、既に記録されている映像データが消去してよいものか否かを確認するための確認作業を手間を掛けずに簡単に行うことができる。
【００７４】
また、記録再生並行モードが設定されているときに、システムコントローラ８で、固体メモリ１０における現在の記録位置から所定時間後に到達する記録可能位置が存在するか否か、また所定時間後に到達する記録位置に記録済みの映像が存在するか否かの判定結果に応じて、所定時間後に到達する記録可能位置が存在しない旨の通知、再生動作の停止、または記録動作の停止を制御するから、固体メモリ１０における記録状態の把握、記録状態に応じた記録、再生動作の停止制御をユーザ操作無しで行うことができ、ユーザの操作に掛かる手間を省くことができる。
【００７５】
さらに、記録再生並行モード実行中に再生動作により再生された映像の消去を禁止する指示が操作部１１を介して出されると、記録動作を停止するように制御が行われるから、消去したくない映像の消去を簡単な操作で未然に防止することができる。
【００７６】
（実施の第２形態）
次に、本発明の実施の第２形態について図８ないし図１０を参照しながら説明する。図８は本発明の映像記録再生装置の実施の第２形態の構成を示すブロック図、図９は図８の映像記録再生装置の回転ドラム上における記録／再生ヘッドと先行再生ヘッドとの間の位置関係を示す図、図１０は図８の映像記録再生装置の記録媒体に対する記録／再生ヘッドによる記録再生位置と先行再生ヘッドによる再生位置との間の位置関係を示す図である。
【００７７】
本実施の形態では、映像記録再生装置として、記録媒体に磁気テープを用いたビデオカメラを例に説明し、このビデオカメラは、上述の実施の第１形態に対し記録媒体に磁気テープを用い、該磁気テープに対する記録、再生を行う点で異なる。
【００７８】
ビデオカメラは、図８に示すように、光学系を介して捕らえた光学像をＣＣＤ（図示せず）で電気信号に変換し、この電気信号を所定の処理によりビデオ信号に変換して出力する撮像部５１を有する。撮像部５１から出力されたビデオ信号はＡ／Ｄコンバータ５２を介してビデオ信号処理回路５３に入力され、ビデオ信号にはビデオ信号処理回路５３で符号化および記録に適した映像データとなるように所定の処理が施される。ビデオ信号処理回路５３からの映像データは、符号化器５４および映像合成処理回路７１に入力される。
【００７９】
符号化器５４は、入力された映像データを所定の方法で符号化圧縮し、符号化圧縮された映像データは記録処理回路５５に入力される。記録処理回路５５は、入力された映像データを磁気テープ５８の記録フォーマットに応じたフォーマットのデータに変換し、該映像データは記録アンプ５６およびスイッチＳＷ４を介してに記録／再生ヘッド５７に入力される。
【００８０】
記録／再生ヘッド５７は、入力された映像データを磁気テープ５８に記録するための記録ヘッドと磁気テープ５８に記録されている映像データを再生するための再生ヘッドとから構成されている。記録再生ヘッド５７は、先行再生ヘッド６６とともに、磁気テープ５８を巻き付ける回転ドラム（図示せず）上に設けられている。
【００８１】
先行再生ヘッド６６は、記録と並行して現在の記録位置から所定時間後に到達する記録位置における映像データすなわち撮像部５１で撮像された映像を示す映像データにより上書きされる映像データを先行映像として再生するためのヘッドからなり、具体的には、図１０に示すように、先行再生ヘッド６６は、記録／再生ヘッド５７の磁気テープ５８に対する記録再生位置に対し該磁気テープ５８の移動方向の上流側位置を再生するように構成され、先行再生ヘッド６６による再生位置と記録／再生ヘッド５７による記録再生位置との間隔は常に一定時間間隔となるように保持されている。
【００８２】
記録／再生ヘッド５７は、図９に示すように、一対の組からなり、互いに回転ドラムの直径方向に対向するように配置されている。同様に、先行再生ヘッド６６は、一対の組からなり、互いに回転ドラムの直径方向に対向するようにかつ記録／再生ヘッド５７に対し角度的に９０度離隔した位置になるように配置されている。
【００８３】
スイッチＳＷ４は、記録時には記録処理回路５５からの映像データを記録／再生ヘッド５７に入力するように、記録／再生ヘッド５７で読み出された映像データを再生アンプ６１を介して再生処理回路６２に入力するように切換動作を行い、この切換動作は後述するシステムコントローラ５９により制御される。
【００８４】
再生処理回路６２は、入力された映像データに所定の再生処理を施して該映像データを映像データに変換する。この映像データは復号化器６３に入力され、復号化器６３は復号化処理により映像データをデジタル映像信号に復号し、該デジタル映像信号は、Ｄ／Ａコンバータ６４でアナログ映像信号に変換された後にスイッチＳＷ５の一方の入力端子に入力される。
【００８５】
先行再生ヘッド６６で読み出された映像データは再生アンプ６１を介して再生処理回路６８に入力され、再生処理回路６８は、入力された映像データに所定の再生処理を施して該映像データを映像データに変換する。この映像データは復号化器６９に入力され、復号化器６９は復号化処理により映像データをデジタル映像信号に復号し、該デジタル映像信号は間引き処理回路７０に入力される。
【００８６】
間引き処理回路７０は、システムコントローラ５９から指示される間引き率に応じて入力されたデジタル映像信号に間引き処理を施し、該間引き処理を施したデジタル映像信号を映像合成処理回路７１に出力する。映像合成処理回路７１は、ビデオ信号処理回路５３からのデジタル映像信号と間引き処理回路７０からのデジタル映像信号とを合成してアナログ映像信号に変換し、該アナログ映像信号はスイッチＳＷ５の他方の入力端子に入力される。この映像合成処理回路７１による動作はシステムコントローラ５９により制御される。映像合成処理回路７１の構成および処理内容については上述の実施の第１形態の映像合成処理回路１８に同じであり、その説明は省略する。
【００８７】
スイッチＳＷ５は、システムコントローラ５９からの切換制御命令に応じて入力端子のいずれかを選択し、該選択された入力端子に入力されたアナログ映像信号をモニタ６５に出力する。モニタ６５は、スイッチＳＷ５からのアナログ映像信号が示す映像を表示するビューファインダなどの表示装置からなる。
【００８８】
システムコントローラ５９は、上述の各ブロックを含む装置全体を制御するシステム制御を行うとともに、記録モード、再生モード、記録およびそれと並行して再生を行う記録再生並行モードの各個別モードに対する制御を行う。システムコントローラ５９には、上述のモード設定指示などが操作部６０から入力される。
【００８９】
なお、上述の磁気テープ５８には、映像データとともにステレオ入力した音声データが格納されるが、本実施の形態では、この音声データの記録、再生を行うためのブロックは省略している。
【００９０】
次に、本ビデオカメラにおける各モードについて説明する。
【００９１】
まず、記録モードについて説明する。この記録モードを実行する場合、ユーザから操作部６０を介して記録モード設定の指示が出され、この記録モード設定指示を受けたシステムコントローラ５９は記録モードを実行可能なように対応するブロックを制御する。例えば、システムコントローラ５９は、記録処理回路５５からの映像データを記録／再生ヘッド５７に入力するようにスイッチＳＷ４の切換動作を制御するとともに、映像合成処理回路７１からのアナログ映像信号を取り込むようにスイッチＳＷ５の切換動作を制御する。
【００９２】
撮像部５１で撮像した被写体のビデオ信号は、Ａ／Ｄコンバータ５２およびビデオ信号処理回路５３で処理された後に記録処理回路５５に入力され、記録処理回路５５は入力された映像データを所定の記録フォーマットに変換し、該映像データを記録アンプ５６およびスイッチＳＷ４を介して記録／再生ヘッド５７に出力する。記録／再生ヘッド５７により入力された映像データは磁気テープ５８に記録される。また、ビデオ信号処理回路３からのデジタル映像信号は映像合成処理回路７１およびスイッチＳＷ５を介してモニタ６５に入力され、モニタ６５には、撮像部５１で撮像した被写体の映像が映し出される。
【００９３】
再生モードを実行する場合、ユーザから操作部６０を介して再生モード設定の指示が出され、この再生モード設定指示を受けたシステムコントローラ５９は再生モードを実行可能なように対応するブロックを制御する。例えば、システムコントローラ５９は、記録／再生ヘッド５７により読み出された映像データを再生処理回路６２に出力するようにＳＷ４の切換動作を制御するとともに、Ｄ／Ａコンバータ６４からのアナログ映像信号を取り込むようにスイッチＳＷ５の切換動作を制御する。
【００９４】
記録／再生ヘッド５７により読み出された映像データは再生アンプ６１を介して再生処理回路６２に入力され、再生処理回路６２は入力された映像データに所定の再生処理を施す。再生処理回路６２からの映像データは復号化器６３に入力され、復号化処理により映像データはデジタル映像信号に復号される。このデジタル映像信号は、Ｄ／Ａコンバータ６４でアナログ映像信号に変換された後にスイッチＳＷ５を介してモニタ６５に出力され、モニタ６５には磁気テープ５８から再生された映像が映し出される。
【００９５】
次に、記録再生並行モードについて説明する。
【００９６】
記録再生並行モードにおいては記録動作と並行して再生動作が行われ、この再生動作は、記録動作による磁気テープ５８における現在の記録位置から所定時間後に到達する記録位置に対する再生を行う先行再生動作からなる。具体的には、記録再生並行モードでは、上述したように、撮像部５１で撮像された映像を示す映像データを記録／再生ヘッド５７により磁気テープ５８に記録するとともに、該記録と並行して先行再生ヘッド６６により、記録／再生ヘッド５７の記録再生位置に対し磁気テープ５８の移動方向の上流側位置を再生する。すなわち、現在の記録位置から所定時間後に到達する記録位置における映像データすなわち撮像部５１で撮像された映像を示す映像データにより上書きされる映像データを先行映像として再生し、この再生された映像と撮像部５１で撮像された映像とを合成してモニタ６５に表示する。
【００９７】
システムコントローラ５９は、記録処理回路５５からの映像データを記録／再生ヘッド５７に入力するようにスイッチＳＷ４の切換動作を制御するとともに、映像合成処理回路７１からのアナログ映像信号を取り込むようにスイッチＳＷ５の切換動作を制御する。また、システムコントローラ５９は、間引き処理回路７０に間引き率を指示するとともに、映像合成処理回路７１の動作を制御するための制御情報を供給する。さらに、システムコントローラ５９は、撮像部５１で撮像された映像を示す映像データの磁気テープ５８への記録と並行して現在の記録位置から所定時間後に到達する記録位置における映像データすなわち撮像部５１で撮像された映像を示す映像データにより上書きされる映像データを先行再生ヘッド６６により読み出すように制御する。
【００９８】
また、記録再生並行モードが設定されているときに、システムコントローラ５９は、磁気テープ５８における現在の記録位置から所定時間後に到達する記録可能位置が存在するか否かを先行再生ヘッド６６の出力に応じて判定し、該所定時間後に到達する記録可能位置が存在しないと、再生動作を停止する制御を行うとともに所定時間後に到達する記録可能位置が存在しない旨を示す情報をモニタ６５に表示するように制御し、所定時間経過後には記録動作を停止するように制御する。また、システムコントローラ５９は現在の記録位置から所定時間後に到達する記録位置に記録済みの映像が存在するか否かを先行再生ヘッド６６の出力に応じて判定し、該所定時間後に到達する記録位置に記録済みの映像が存在しないと、再生動作を停止するように制御する。
【００９９】
さらに、記録再生並行モード実行中に再生動作により再生された映像の消去を禁止する指示が出されると、記録動作を停止するように制御が行われる。
【０１００】
この記録再生並行モードにおいては、撮像部５１で撮像した被写体の映像データは、上述の記録モードと同様に記録再生ヘッド５７により磁気テープ５８に記録される。
【０１０１】
先行再生ヘッド６６により磁気テープ５８からは現在の記録位置から所定時間後に到達する記録位置における映像データが読み出される。この読み出された映像データは再生アンプ６７を介して再生処理回路６８に入力され、再生処理回路６８は入力された映像データに所定の再生処理を施す。再生処理回路６８からの映像データは復号化器６９に入力され、復号化処理により映像データはデジタル映像信号に復号される。このデジタル映像信号は、間引き処理回路７０に入力され、該デジタル映像信号にシステムコントローラ５９から指示された間引き率による間引き処理が施される。間引き処理されたデジタル映像信号は映像合成処理回路７１に入力され、映像合成処理回路７１は間引き処理されたデジタル映像信号とビデオ信号処理回路５３からのデジタル映像信号と合成してスイッチＳＷ５を介してモニタ６５に出力する。モニタ６５には、撮像部５１で現在撮像している映像と先行再生ヘッド６６により再生された映像とを合成した映像が映し出される。
【０１０２】
このように本実施の形態では、記録媒体に磁気テープを用いた場合でも、上述の実施の第１形態と同様の効果が得られる。
【０１０３】
（実施の第３形態）
次に、本発明の実施の第３形態について図１１および図１２を参照しながら説明する。図１１は本発明の映像記録再生装置の実施の第３形態の構成を示すブロック図、図１２は図１１の映像記録再生装置の記録／再生を行うための光学系ヘッドと先行再生するための光学系ヘッドとの間の位置関係を示す図である。
【０１０４】
本実施の形態では、映像記録再生装置として、記録媒体に光ディスクを用いたビデオカメラを例に説明し、このビデオカメラは、上述の実施の第１形態に対し記録媒体に光ディスクを用い、該光ディスクに対する記録、再生を行う点で異なる。
【０１０５】
ビデオカメラは、図１１に示すように、光学系を介して捕らえた光学像をＣＣＤ（図示せず）で電気信号に変換し、この電気信号を所定の処理によりビデオ信号に変換して出力する撮像部７１を有する。撮像部７１から出力されたビデオ信号はＡ／Ｄコンバータ７２を介してビデオ信号処理回路７３に入力され、ビデオ信号にはビデオ信号処理回路７３で符号化および記録に適した映像データとなるように所定の処理が施される。ビデオ信号処理回路７３からの映像データは、符号化器７４および映像合成処理回路９３に入力される。
【０１０６】
符号化器７４は、入力された映像データを所定の方法で符号化圧縮し、符号化圧縮された映像データは記録処理回路７５に入力される。記録処理回路７５は、入力された映像データを光ディスク７８の記録フォーマットに応じたフォーマットのデータに変換し、該映像データは記録アンプ７６およびスイッチＳＷ６を介してに記録／再生を行うための光学系ヘッド７７に入力される。
【０１０７】
光学系ヘッド７７は、入力された映像データを光ディスク７８に記録するための記録ヘッドと光ディスク７８に記録されている映像データを再生するための再生ヘッドとから構成されている。光学系ヘッド７７は、先行再生をするための光学系ヘッド８７とともに、光ディスク７８の下面側に配置されている。先行再生をするための光学系ヘッド８７は、記録と並行して現在の記録位置から所定時間後に到達する記録位置における映像データすなわち撮像部７１で撮像された映像を示す映像データにより上書きされる映像データを先行映像として再生するためのヘッドからなり、具体的には、図１２に示すように、先行再生をするための光学系ヘッド８７は、光学系ヘッド７７に対し光ディスク７８の直径方向に対向するように配置されている。先行再生をするための光学系ヘッド８７による読み出し動作および光学系ヘッド７７による書込み、読出し動作は記録再生系制御部８８により制御され、この記録再生系制御部８８の制御はシステムコントローラ８０からの制御命令により行われる。
【０１０８】
光ディスク７８は、モータ７９で所定方向に回転され、モータ７９の回転駆動は後述するシステムコントローラ８０により制御される。
【０１０９】
スイッチＳＷ６は、記録時には記録処理回路７５からの映像データを光学系ヘッド７７に入力するように、光学系ヘッド７７で読み出された映像データを再生アンプ８２を介して再生処理回路８３に入力するように切換動作を行い、この切換動作はシステムコントローラ８０により制御される。
【０１１０】
再生処理回路８３は、入力された映像データに所定の再生処理を施して該映像データを映像データに変換する。この映像データは復号化器８４に入力され、復号化器８４は復号化処理により映像データをデジタル映像信号に復号し、該デジタル映像信号は、Ｄ／Ａコンバータ８５でアナログ映像信号に変換された後にスイッチＳＷ７の一方の入力端子に入力される。
【０１１１】
先行再生をするための光学系ヘッド８７で読み出された映像データは再生アンプ８９を介して再生処理回路９０に入力され、再生処理回路９０は、入力された映像データに所定の再生処理を施して該映像データを映像データに変換する。この映像データは復号化器９１に入力され、復号化器９１は復号化処理により映像データをデジタル映像信号に復号し、該デジタル映像信号は間引き処理回路９２に入力される。
【０１１２】
間引き処理回路９２は、システムコントローラ８０から指示される間引き率に応じて入力されたデジタル映像信号に間引き処理を施し、該間引き処理を施したデジタル映像信号を映像合成処理回路９３に出力する。映像合成処理回路９３は、ビデオ信号処理回路７３からのデジタル映像信号と間引き処理回路９２からのデジタル映像信号とを合成してアナログ映像信号に変換し、該アナログ映像信号はスイッチＳＷ７の他方の入力端子に入力される。この映像合成処理回路９３による動作はシステムコントローラ８０により制御される。映像合成処理回路９３の構成および処理内容については上述の実施の第１形態の映像合成処理回路１８に同じであり、その説明は省略する。
【０１１３】
スイッチＳＷ７は、システムコントローラ８０からの切換制御命令に応じて入力端子のいずれかを選択し、該選択された入力端子に入力されたアナログ映像信号をモニタ８６に出力する。モニタ８６は、スイッチＳＷ７からのアナログ映像信号が示す映像を表示するビューファインダなどの表示装置からなる。
【０１１４】
システムコントローラ８０は、上述の各ブロックを含む装置全体を制御するシステム制御を行うとともに、記録モード、再生モード、記録およびそれと並行して再生を行う記録再生並行モードの各個別モードに対する制御を行う。システムコントローラ８０には、上述のモード設定指示などが操作部８１から入力される。
【０１１５】
なお、上述の光ディスク７８には、映像データとともにステレオ入力した音声データが格納されるが、本実施の形態では、この音声データの記録、再生を行うためのブロックは省略している。
【０１１６】
次に、本ビデオカメラにおける各モードについて説明する。
【０１１７】
まず、記録モードについて説明する。この記録モードを実行する場合、ユーザから操作部８１を介して記録モード設定の指示が出され、この記録モード設定指示を受けたシステムコントローラ８０は記録モードを実行可能なように対応するブロックを制御する。例えば、システムコントローラ８０は、記録処理回路７５からの映像データを光学系ヘッド７７に入力するようにスイッチＳＷ６の切換動作を制御するとともに、映像合成処理回路９３からのアナログ映像信号を取り込むようにスイッチＳＷ７の切換動作を制御する。
【０１１８】
撮像部７１で撮像した被写体のビデオ信号は、Ａ／Ｄコンバータ７２およびビデオ信号処理回路７３で処理された後に記録処理回路７５に入力され、記録処理回路７５は入力された映像データを所定の記録フォーマットに変換し、該映像データを記録アンプ７６およびスイッチＳＷ６を介して光学系ヘッド７７に出力する。光学系ヘッド７７により入力された映像データは光ディスク７８に記録される。また、ビデオ信号処理回路７３からのデジタル映像信号は映像合成処理回路９３およびスイッチＳＷ７を介してモニタ８６に入力され、モニタ８６には、撮像部７１で撮像した被写体の映像が映し出される。
【０１１９】
再生モードを実行する場合、ユーザから操作部８１を介して再生モード設定の指示が出され、この再生モード設定指示を受けたシステムコントローラ８０は再生モードを実行可能なように対応するブロックを制御する。例えば、システムコントローラ８０は、光学系ヘッド７７により読み出された映像データを再生処理回路８３に出力するようにＳＷ６の切換動作を制御するとともに、Ｄ／Ａコンバータ８５からのアナログ映像信号を取り込むようにスイッチＳＷ７の切換動作を制御する。
【０１２０】
光学系ヘッド７７により読み出された映像データは再生アンプ８２を介して再生処理回路８３に入力され、再生処理回路８３は入力された映像データに所定の再生処理を施す。再生処理回路８３からの映像データは復号化器８４に入力され、復号化処理により映像データはデジタル映像信号に復号される。このデジタル映像信号は、Ｄ／Ａコンバータ８５でアナログ映像信号に変換された後にスイッチＳＷ７を介してモニタ８６に出力され、モニタ８６には光ディスク７８から再生された映像が映し出される。
【０１２１】
次に、記録再生並行モードについて説明する。
【０１２２】
記録再生並行モードにおいては記録動作と並行して再生動作が行われ、この再生動作は、記録動作による光ディスク７８における現在の記録位置から所定時間後に到達する記録位置に対する再生を行う先行再生動作からなる。具体的には、記録再生並行モードでは、上述したように、撮像部７１で撮像された映像を示す映像データを光学系ヘッド７７により光ディスク７８に記録するとともに、該記録と並行して先行再生をするための光学系ヘッド８７により、現在の記録位置から所定時間後に到達する記録位置を再生する。すなわち、現在の記録位置から所定時間後に到達する記録位置における映像データすなわち撮像部７１で撮像された映像を示す映像データにより上書きされる映像データを先行映像として再生し、この再生された映像と撮像部７１で撮像された映像とを合成してモニタ８６に表示する。
【０１２３】
システムコントローラ８０は、記録処理回路７５からの映像データを光学系ヘッド７７に入力するようにスイッチＳＷ６の切換動作を制御するとともに、映像合成処理回路９３からのアナログ映像信号を取り込むようにスイッチＳＷ７の切換動作を制御するとともに、また、システムコントローラ８０は、間引き処理回路９２に間引き率を指示するとともに、映像合成処理回路９３の動作を制御するための制御情報を供給する。さらに、システムコントローラ８０は、撮像部７１で撮像された映像を示す映像データの光ディスク７８への記録と並行して現在の記録位置から所定時間後に到達する記録位置における映像データすなわち撮像部７１で撮像された映像を示す映像データにより上書きされる映像データを先行再生をするための光学系ヘッド８７により読み出すように制御する。
【０１２４】
また、記録再生並行モードが設定されているときに、システムコントローラ８０は、光ディスク７８における現在の記録位置から所定時間後に到達する記録可能位置が存在するか否かを光学系ヘッド８７の出力に応じて判定し、該所定時間後に到達する記録可能位置が存在しないと、再生動作を停止する制御を行うとともに所定時間後に到達する記録可能位置が存在しない旨を示す情報をモニタ８６に表示するように制御し、所定時間経過後には記録動作を停止するように制御する。また、システムコントローラ８０は現在の記録位置から所定時間後に到達する記録位置に記録済みの映像が存在するか否かを光学系ヘッド８７の出力に応じて判定し、該所定時間後に到達する記録位置に記録済みの映像が存在しないと、再生動作を停止するように制御する。
【０１２５】
さらに、記録再生並行モード実行中に再生動作により再生された映像の消去を禁止する指示が出されると、記録動作を停止するように制御が行われる。
【０１２６】
この記録再生並行モードにおいては、撮像部７１で撮像した被写体の映像データは、上述の記録モードと同様に光学系ヘッド７７により光ディスク７８に記録される。
【０１２７】
先行再生をするための光学系ヘッド８７により光ディスク７８からは現在の記録位置から所定時間後に到達する記録位置における映像データが読み出される。この読み出された映像データは再生アンプ８９を介して再生処理回路９０に入力され、再生処理回路９０は入力された映像データに所定の再生処理を施す。再生処理回路９０からの映像データは復号化器９１に入力され、復号化処理により映像データはデジタル映像信号に復号される。このデジタル映像信号は、間引き処理回路９２に入力され、該デジタル映像信号にシステムコントローラ８０から指示された間引き率による間引き処理が施される。間引き処理されたデジタル映像信号は映像合成処理回路９３に入力され、映像合成処理回路９３は間引き処理されたデジタル映像信号とビデオ信号処理回路７３からのデジタル映像信号と合成してスイッチＳＷ７を介してモニタ８６に出力する。モニタ８６には、撮像部７１で現在撮像している映像と先行再生をするための光学系ヘッド８７により再生された映像とを合成した映像が映し出される。
【０１２８】
このように本実施の形態では、記録媒体に光ディスクを用いた場合でも、上述の実施の第１形態と同様の効果が得られる。
【０１２９】
【発明の効果】
以上に説明したように、本発明によれば、記録媒体に記録済みの映像に上書きして新たな映像を記録するときに、記録媒体に既に記録されている映像が消去してよいものか否かを確認するための確認作業を手間を掛けずに簡単に行うことができる。
【図面の簡単な説明】
【図１】本発明の映像記録再生装置の実施の第１形態の外形を模式的に示す図である。
【図２】図１の映像記録再生装置の構成を示すブロック図である。
【図３】図２のビデオカメラの固体メモリに格納されているデータの構成例を示す図である。
【図４】図２のビデオカメラの記録再生並行モードにおける固体メモリへの記録位置と再生位置との関係を示す図である。
【図５】図２のビデオカメラの記録再生並行モードにおけるモニタの画面表示例を示す図である。
【図６】図２のビデオカメラに設けられている映像合成処理回路の構成を示すブロック図である。
【図７】図２のビデオカメラにおける記録再生並行モードの動作手順を示すフローチャートである。
【図８】本発明の映像記録再生装置の実施の第２形態の構成を示すブロック図である。
【図９】図８の映像記録再生装置の回転ドラム上における記録／再生ヘッドと先行再生ヘッドとの間の位置関係を示す図である。
【図１０】図８の映像記録再生装置の記録媒体に対する記録／再生ヘッドによる記録再生位置と先行再生ヘッドによる再生位置との間の位置関係を示す図である。
【図１１】本発明の映像記録再生装置の実施の第３形態の構成を示すブロック図である。
【図１２】図１１の映像記録再生装置の記録／再生を行うための光学系ヘッドと先行再生するための光学系ヘッドとの間の位置関係を示す図である。
【符号の説明】
１，５１  撮像部
５  ＩＤ発生回路
６  データ合成回路
７  アドレス情報生成回路
８，５９，８０  システムコントローラ
１０  固体メモリ
１１，６０，８１  操作部
１２  データ分配回路
１４  表示情報生成回路
１７，７０，９２  間引き処理回路
１８，７１，９３  映像合成処理回路
２１，６５，８６  モニタ
５７  記録／再生ヘッド
５８  磁気テープ
６６  先行再生ヘッド
７７，８７  光学系ヘッド
７８  光ディスク
８８  記録、再生系制御部
ＳＷ１，…，ＳＷ７  スイッチ
【図１】
0004006051.tif 000002
【図２】
0004006051.tif 000003
【図３】
0004006051.tif 000004
【図４】
0004006051.tif 000005
【図５】
0004006051.tif 000006
【図６】
0004006051.tif 000007
【図７】
0004006051.tif 000008
【図８】
0004006051.tif 000009
【図９】
0004006051.tif 000010
【図１０】
0004006051.tif 000011
【図１１】
0004006051.tif 000012
【図１２】
0004006051.tif 000013